【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
杭打ち、ユニットの組み立て、ワイヤーに吊り上げてのユニットの移動、杭とユニットの接合からなるユニット工法であって、
杭が、らせん構造とボルト接続用の孔を設けた円筒状の頭部を有するスクリュー杭であって、
杭打ちは、リーダーの接地面が表面に突起が形成されたＲを有する面状の接地面であり、垂直方向を維持しながらスクリュー杭を打ち込むリーダー式杭打ち機を使用して、
垂直方向を維持しながら４本１組で打ち込み、
ユニットは４本の支柱と４本のユニット構成枠を含む構造で組み立てられていて、
ユニットをワイヤーで吊り上げて、ユニットの４本の支柱を垂直に維持して、４本１組のスクリュー杭頭部への移動し、
杭とユニットの接合を、ユニットの支柱脚部がスクリュー杭の円筒状の頭部に差し込まれ、ボルトとナットがスクリュー杭の円筒状の頭部の外から地面と水平に締め付けられる接合構造であるユニット工法。
【請求項２】
杭とユニットの接合に用られるボルトが４本１組の対向する押さえボルトであって、押さえボルトが、杭座金付きナットとスクリュー杭の円筒状の頭部の外に付けられた溶接ナットにより締め付けられることを特徴とする請求項１記載のユニット工法。
【請求項３】
杭とユニットの接合に用られるボルトが、押さえボルトと貫通用ボルトであり、貫通用ボルトにはワッシャとナットを円筒状の頭部の外で使用することを特徴とする請求項１又は２記載のユニット工法。
【請求項４】
杭とユニットの接合に用られるボルトが、４本１組の対向する押さえボルト２組８本と、貫通用ボルト１本である接合構造であることを特徴とする請求項１から３のいずれかに記載のユニット工法。
【手続補正２】
【補正対象書類名】明細書
【補正対象項目名】００１５
【補正方法】変更
【補正の内容】
【００１５】
杭打ち、ユニットの組み立て、ワイヤーに吊り上げてのユニットの移動、杭とユニットの接合からなるユニット工法において、
杭が、らせん構造とボルト接続用の孔を設けた円筒状の頭部を有するスクリュー杭であって、
杭打ちは、リーダーの接地面が表面に突起が形成されたＲを有する面状の接地面であり、垂直方向を維持しながらスクリュー杭を打ち込むリーダー式杭打ち機を使用して、
垂直方向を維持しながら４本１組で打ち込み、
ユニットは４本の支柱と４本のユニット構成枠を含む構造で組み立てられていて、
ユニットをワイヤーで吊り上げて、ユニットの４本の支柱を垂直に維持して、４本１組のスクリュー杭頭部への移動し、
杭とユニットの接合を、ユニットの支柱脚部がスクリュー杭の円筒状の頭部に差し込まれ、ボルトとナットがスクリュー杭の円筒状の頭部の外から地面と水平に締め付けられる接合構造であるユニット工法により達成される。
【手続補正３】
【補正対象書類名】明細書
【補正対象項目名】００１６
【補正方法】変更
【補正の内容】
【００１６】
さらに、杭とユニットの接合に用られるボルトが４本１組の対向する押さえボルトであって、押さえボルトが、杭座金付きナットとスクリュー杭の円筒状の頭部の外に付けられた溶接ナットにより締め付けられるユニット工法により達成される。
【手続補正４】
【補正対象書類名】明細書
【補正対象項目名】００１７
【補正方法】変更
【補正の内容】
【００１７】
さらに、杭とユニットの接合に用られるボルトが、押さえボルトと貫通用ボルトであり、貫通用ボルトにはワッシャとナットを円筒状の頭部の外で使用するユニット工法により達成される。
【手続補正５】
【補正対象書類名】明細書
【補正対象項目名】００１８
【補正方法】変更
【補正の内容】
【００１８】
さらに、杭とユニットの接合に用られるボルトが、４本１組の対向する押さえボルト２組８本と、貫通用ボルト１本である接合構造であるユニット工法により達成される。
【手続補正６】
【補正対象書類名】明細書
【補正対象項目名】００１９
【補正方法】変更
【補正の内容】
【００１９】
本発明は、基礎杭が所定位置よりも芯ずれして埋設されても、建造物（ユニット）の４本の支柱を、芯ずれを調整しつつ前記基礎杭に接合することができる。本発明では、ボルトとナットを円筒状の杭の外に地面に平行に使用するので、安全かつ容易に作業をすることができる。
【手続補正７】
【補正対象書類名】明細書
【補正対象項目名】００２２
【補正方法】変更
【補正の内容】
【００２２】
まず、本発明の杭打ちに用いられる基礎杭について説明する。本発明では基礎杭としてスクリュー杭を使用する。スクリュー杭とは、例えば、金属製の帯状板をらせん状に形成したスクリュー部を有する杭である。本発明に用いるスクリュー杭は、円筒状の頭部を有することを特徴とする。即ち、フランジ接合部を有しない構造である。従って、支柱と杭がフランジでもって、地面と垂直方向にボルトとナットで取り付けられる構造は排除される。図１は本発明に使用するスクリュー杭の一例である。図１（ａ）はスクリュー杭６の正面図、図１（ｂ）はスクリュー杭６の側面図である。本発明に使用するスクリュー杭は、その頭部が円筒状になっているのが特徴である。
【手続補正８】
【補正対象書類名】明細書
【補正対象項目名】００２４
【補正方法】変更
【補正の内容】
【００２４】
本発明の杭打ちについて、図２でスクリュー杭の打ち込みを説明する。スクリュー杭６の打ち込みは、リーダー３３を使用し、スクリュー杭を垂直方向に維持しながら重機により行う。本発明に用いるリーダー３３の特徴として、その先端部の接地部分３２が、表面に突起が形成されたＲを有する面状の接地面を有する。突起３１の数は特に限定されないが、６個〜１６個を円状又は楕円状に形成したり、１０個〜２４個を二重円状又は二重楕円状に形成することが好ましい。地盤にリーダー３３を接地し、油圧減速機を回転させて、垂直方向を維持しながらスクリュー杭６を打ち込む。起伏のある地盤に打ち込む場合、障害物がある地盤に打ち込む場合でも、接地部表面に形成された突起３１が地盤に強固にくい込むので、設定した箇所に確実に垂直方向を維持しながらスクリュー杭６を打ち込むことができる。本発明では、スクリュー杭を４本１組として設計通りに打ち込む。
【手続補正９】
【補正対象書類名】明細書
【補正対象項目名】００２５
【補正方法】変更
【補正の内容】
【００２５】
次に、本発明のユニットについて説明する。本発明でユニットとは４本の支柱と４本のユニット構成枠（枠材）を含む構造で組み立てられた構造物をいう。必要に応じて、支柱には補強材が組み込まれる。４本の支柱は、４本一組のスクリュー杭に対応するように設計されて、ユニットに組み立てられる。ユニットの具体例については後で記する。
【手続補正１０】
【補正対象書類名】明細書
【補正対象項目名】００４５
【補正方法】変更
【補正の内容】
【００４５】
１  孔
２  溶接ナット
３  孔
４  孔
５  溶接ナット
６  スクリュー杭
７  支柱
８  ワイヤー
９  調整型吊具
１０  フック
１１  ワイヤー
１２  ユニット構成枠（横ばり）
１３  ユニット構成枠（縦ばり）
１４  支柱脚部
１５  スクリュー杭頭部
１６  貫通用ボルトを通す孔の位置（貫通用ボルトが貫通する孔の位置）
１７  押さえ部分
１８  押さえボルト
１９  歯付き座金ナット
２０  貫通用ボルト
２１  ワッシャ
２２  ワッシャ
２３  ナット
２４  屋根状部
２５  補強材
３１  突起
３２  接地部分
３３  リーダー
３５  支柱端部
４０  ソーラーモジュール